(57)【要約】【課題】指サックを嵌めた場合のような圧迫感がなく、また指先に作業時の感触が伝わりやすく、精密機械を扱う細かな作業に好適な作業用手袋を提供する。【解決手段】編み手袋１の親指覆い部２を除く４指覆い部３〜６の付け根部から先端側の厚みを他の部分に比べて薄くし、この編み手袋１の掌側において掌およびこの掌に続く５本の指覆い部２〜６にゴムまたは合成樹脂を材料として作られた被膜状の保護部を設けた。【選択図】　　　　図１
2004060087.tif 000002
【特許請求の範囲】
【請求項１】
編み手袋の掌側において掌およびこの掌に続く５本の指覆い部にゴムまたは合成樹脂を材料として作られたドット状あるいは被膜状の保護部を設けた作業用手袋であって、編み手袋の親指覆い部を除く４指覆い部の指先から適当長さ範囲の厚みを他の部分に比べて薄くしたことを特徴とする作業用手袋。
【請求項２】
編み手袋の４指覆い部の付け根部から先端側の厚みを他の部分に比べて薄くしたことを特徴とする請求項１記載の作業用手袋。
【請求項３】
編み手袋の掌側において掌およびこの掌に続く５本の指覆い部にゴムまたは合成樹脂を材料として作られたドット状あるいは被膜状の保護部を設けた作業用手袋であって、編み手袋の５本の指覆い部の指先から適当長さ範囲の厚みを他の部分に比べて薄くしたことを特徴とする作業用手袋。
【請求項４】
編み手袋の５指覆い部の付け根部から先端側の厚みを他の部分に比べて薄くしたことを特徴とする請求項３記載の作業用手袋。
【請求項５】
編み手袋の掌側において掌およびこの掌に続く５本の指覆い部にゴムまたは合成樹脂を材料として作られたドット状あるいは被膜状の保護部を設けた作業用手袋であって、編み手袋の５本の指覆い部を含み掌の中央部から先端側の厚みを他の部分に比べて薄くしたことを特徴とする作業用手袋。
【発明の詳細な説明】
【０００１】
【発明の属する技術分野】
本発明は、精密機械の組み立てなどの細かな手先を要求される作業に好適な作業用手袋に関するものである。
【０００２】
【従来の技術】
従来から精密機械を扱う作業においては手の汗による汚染を防止するため薄い編み手袋を履いた上に滑り止めと汚染防止のため指サックを嵌めて作業を行なっている。指サックはずれ落ちを防止するために入口部分が巻いてあったり、少し狭くなっているため、指先を圧迫するという問題があった。
【０００３】
一方、編み手袋（原手）の上に合成樹脂またはゴムを被覆したものや含浸させた作業用手袋も知られているが、編み手袋（原手）の上に合成樹脂あるいはゴムの被覆膜が積層されているために作業用手袋の厚みが大となり、特に指先部分の厚みが大となることにより指先に作業時の感触が伝わりにくく、指先の細かな作業に支障を来たすという問題があった。
【０００４】
【発明が解決しようとする課題】
本発明はこのような課題を解決するもので、指サックを嵌めた場合のような圧迫感がなく、また指先に作業時の感触が伝わりやすく、精密機械を扱う細かな作業に好適な作業用手袋を提供することを目的とするものである。
【０００５】
【課題を解決するための手段】
この課題を解決するために本発明は、編み手袋の掌側において掌およびこの掌に続く５本の指覆い部にゴムまたは合成樹脂を材料として作られたドット状あるいは被膜状の保護部を設けた作業用手袋であって、編み手袋の親指覆い部を除く４指覆い部の指先から適当長さ範囲の厚みを他の部分に比べて薄くしたことを要旨とするものである。また本発明は、編み手袋の４指覆い部の付け根部から先端側の厚みを他の部分に比べて薄くしたことを要旨とするものである。また本発明は、編み手袋の掌側において掌およびこの掌に続く５本の指覆い部にゴムまたは合成樹脂を材料として作られたドット状あるいは被膜状の保護部を設けた作業用手袋であって、編み手袋の５本の指覆い部の指先から適当長さ範囲の厚みを他の部分に比べて薄くしたことを要旨とするものである。また本発明は、編み手袋の５指覆い部の付け根部から先端側の厚みを他の部分に比べて薄くしたことを要旨とするものである。さらに本発明は、編み手袋の掌側において掌およびこの掌に続く５本の指覆い部にゴムまたは合成樹脂を材料として作られたドット状あるいは被膜状の保護部を設けた作業用手袋であって、編み手袋の５本の指覆い部を含み掌の中央部から先端側の厚みを他の部分に比べて薄くしたことを要旨とするものである。
【０００６】
以下、本発明について詳細に説明する。
先ず、本発明に使用されるゴムは、天然ゴム、イソプレンゴム、クロロプレンゴム、アクリル酸エステルゴム、スチレン−ブタジエン共重合体ゴム、アクリロニトリル−ブタジエン共重合体ゴム、ウレタンゴム、ブチルゴム、ポリブタジエンゴム、シリコーンゴムなどの単独重合体ラテックスあるいは共重合体ラテックス、１０質量％以下のカルボキシル変性基などをもつ共重合体ラテックスであり、周知の架橋剤、加硫促進剤、老化防止剤、増粘剤、有機や無機の充填剤、可塑剤などを添加して使用される。また、本発明に使用される合成樹脂としては溶剤タイプのウレタンや塩化ビニル樹脂などが使用される。
【０００７】
前記編み手袋（原手）については、厚みの大なる（厚い）部分と小なる（薄い）部分とを備えているが、その作り方としては編成時に使用される糸の本数を変えることにより厚みの小なる部分と大なる部分を連続的に作る方法、あるいは厚みを薄くしたい部分を例えば温水で溶解するＰＶＡからなる糸と温水で溶解しない糸で編成し、編成後に編み手袋を温水中に漬けることによりＰＶＡからなる糸を溶解させる方法などを採用することができる。
【０００８】
そして、この編み手袋（原手）に手型に被せ、スクリーン印刷によりゴムまたは合成樹脂からなるドット状の保護部を設けるか、手型に被せられた編み手袋の掌側が下に向くように液状のゴムまたは合成樹脂に浸漬させることにより掌側に被膜状の保護部を設けた作業用手袋を製造することができる。
【０００９】
この構成により、編み手袋の親指覆い部を除く４指覆い部の指先から適当長さ範囲の厚みあるいは編み手袋の５本の指覆い部の指先から適当長さ範囲の厚みあるいは編み手袋の５本の指覆い部を含み掌の中央部から先端側の厚みを他の部分に比べて薄くしてあることにより、指サックを嵌めた場合のような圧迫感がなく、フィット感が向上し、指関節の屈曲がスムーズとなり、ドット状あるいは被膜状の保護部を設けられていても使い勝手の良い作業用手袋を提供することができる。
【００１０】
【発明の実施の形態】
以下、本発明の実施の形態について、図面に基づいて説明する。
先ず、図１〜図４に示す第１の実施の形態について説明すると、１は編み手袋で、この編み手袋１の親指覆い部２を除く４指覆い部３〜６の付け根部から先端側の厚みを他の部分に比べて薄くしてある。そして、この編み手袋１の掌側において掌およびこの掌に続く５本の指覆い部２〜６にゴムまたは合成樹脂を材料として作られた被膜状の保護部７を設けてある。図中、８は編み手袋１の厚みの境界部、９は手首覆い部である。
【００１１】
次に、図５〜図６に示す第２の実施の形態について説明すると、この第２の実施の形態では編み手袋１の５本の指覆い部２〜６の付け根部から先端側の厚みを他の部分に比べて薄くしてあり、この編み手袋１の掌側において掌およびこの掌に続く５本の指覆い部２〜６にゴムまたは合成樹脂を材料として作られた被膜状の保護部７を設けてある。
【００１２】
次に、図７〜図８に示す第３の実施の形態について説明すると、この第３の実施の形態では編み手袋１の５本の指覆い部２〜６を含み掌の中央部から先端側の厚みを他の部分に比べて薄くしてあり、この編み手袋１の掌側において掌およびこの掌に続く５本の指覆い部２〜６にゴムまたは合成樹脂を材料として作られた被膜状の保護部７を設けてある。
【００１３】
【発明の効果】
以上のように本発明によれば、編み手袋の親指覆い部を除く４指覆い部の指先から適当長さ範囲の厚みあるいは編み手袋の５本の指覆い部の指先から適当長さ範囲の厚みあるいは編み手袋の５本の指覆い部を含み掌の中央部から先端側の厚みを他の部分に比べて薄くしてあることにより、指サックを嵌めた場合のような圧迫感がなく、フィット感が向上し、指関節の屈曲がスムーズとなり、ドット状あるいは被膜状の保護部を設けられていても使い勝手の良い作業用手袋を提供することができる。
【図面の簡単な説明】
【図１】本発明の第１の実施の形態における編み手袋の斜視図である。
【図２】同編み手袋の掌側に被膜状の保護部を設けた作業用手袋の掌側から見た斜視図である。
【図３】同作業用手袋の手の甲側から見た斜視図である。
【図４】同作業用手袋の要部拡大断面図である。
【図５】本発明の第２の実施の形態における編み手袋の斜視図である。
【図６】同編み手袋の掌側に被膜状の保護部を設けた作業用手袋の手の甲側から見た斜視図である。
【図７】本発明の第３の実施の形態における編み手袋の斜視図である。
【図８】同編み手袋の掌側に被膜状の保護部を設けた作業用手袋の手の甲側から見た斜視図である。
【符号の説明】
１　　編み手袋
２　　指覆い部
３　　指覆い部
４　　指覆い部
５　　指覆い部
６　　指覆い部
７　　保護部
【図１】
2004060087.tif 000003
【図２】
2004060087.tif 000004
【図３】
2004060087.tif 000005
【図４】
2004060087.tif 000006
【図５】
2004060087.tif 000007
【図６】
2004060087.tif 000008
【図７】
2004060087.tif 000009
【図８】
2004060087.tif 000010